(57)【特許請求の範囲】
【請求項１】
Ｌ字状に屈曲した左右端部に糸案内部を有し、屈曲部において上ルーパー軸に支持されたルーパー天秤と、ルーパー天秤が揺動の最左点、最右点にあるときの右側端部の延長線近傍にそれぞれ設けられた各糸案内とを備えたロックミシン。
【発明の詳細な説明】
【０００１】
【産業上の利用分野】
この発明は、二重環縫い及びかがり縫いをなし得るロックミシンに関するものである。
【０００２】
【従来の技術】
従来の二重環縫い及びかがり縫いをなし得るロックミシンにおいては、図４に示すように、二重環縫い時に下ルーパー１’に通されている下ルーパー糸Ｙ２の制御、即ち、下ルーパー糸Ｙ２の繰り出し及び糸あまりの制御を、下糸カム１３と称する回転式天秤に導いて行っている。このような回転式天秤による制御は、二重環縫いミシンにおいては、下ルーパー糸の制御として最も一般的である。
【０００３】
【発明が解決しようとする課題】
上記のロックミシンの下糸カム１３は、かがり縫い用の下ルーパー天秤とは別個のものであり、それだけ機構が複雑になっている。また、上記のロックミシンの下糸カム１３は回転運動を行うので、切断した下ルーパー糸の下糸カム１３への巻き付き防止機構を備える必要がある。
【０００４】
この発明は、二重環縫い及びかがり縫いをなし得るロックミシンにおいて、二重環縫下糸、下ルーパー糸の各制御を一つの部材で行い得るようにすることを目的としている。
【０００５】
【課題を解決するための手段】
上記目的を達成するために、この発明のロックミシンは、Ｌ字状に屈曲した左右端部に糸案内部を有し、屈曲部において上ルーパー軸に支持されたルーパー天秤と、ルーパー天秤が揺動の最左点、最右点にあるときの右側端部の延長線近傍にそれぞれ設けられた各糸案内とを備えたものである。
【０００６】
【作用】
上記のように構成されたロックミシンにおいては、ルーパー天秤の回動時に各糸案内部のどちらかが二重環下糸又は下ルーパー糸に屈曲を与えて作用し、あるいはその作用を解除することにより、縫い目形成のための糸制御、即ち、二重環下糸又は下ルーパー糸の供給及びたるみ吸収が連続して行われる。
【０００７】
【実施例】
図１ないし図６を参照し、この発明のロックミシンの実施例について説明する。
【０００８】
このロックミシンは、図５に示す二重環縫い及び図６に示すかがり縫いを行うことができ、二重環ルーパーとした下ルーパー１と、上ルーパー２と、針３とを備え、特に、二重環縫い時の二重環下糸Ｙ１及びかがり縫い時の下ルーパー糸Ｙ２の繰り出し及びたるみの吸収を行うルーパー天秤４を備えたものである。なお、５は、上ルーパー天秤、６、７はそれぞれ下ルーパー糸Ｙ２を案内するための糸案内、上ルーパー糸Ｙ３及び二重環下糸Ｙ１を案内するための糸案内である。
【０００９】
下ルーパー１は、不図示の主軸に連動して所定角度左右に揺動し、更に、二重環縫い時には、軸方向に前進、後退する下ルーパー軸９に固定されている。
【００１０】
上ルーパー２は、回動可能の軸受１０に中間部が嵌挿され、主軸に連動して所定角度上下に揺動する上ルーパー軸１１に支持された揺動部材１２に下端が回動可能に支持されており、かがり縫い時にのみ上下運動と軸受１０の回りの揺動運動が合成された運動を行う。
【００１１】
ルーパー天秤４は、Ｌ字状に屈曲しており、その屈曲部において、上ルーパー軸１１に固定され、二重環縫い時及びかがり縫い時に主軸に連動して所定角度左右に揺動する。また、各先端部には、それぞれ糸案内部４ａ、４ｂが形成されている。このルーパー天秤４は、独立した二重環ルーパーを有するロックミシンにも適用することができる。
【００１２】
糸案内６、７は、ルーパー天秤４が揺動の最左点、最右点にあるときの右側端部の延長線近傍にそれぞれ設けられている。
【００１３】
以上のように構成されたロックミシンにおいて、二重環縫い時（図２参照；上ルーパー２の動作を省略している）には、二重環下糸Ｙ１が糸調子器を経て糸案内７に通され、ルーパー天秤４の各糸案内部４ａ、４ｂを経て下ルーパー１に通される。そして、上ルーパー２を停止させ、下ルーパー１が軸方向の前進、後退運動と軸回りの揺動運動が合成された楕円運動を行い、針３が上下運動を行う。
【００１４】
以下、二重環縫い時の下糸の制御について詳述する。
【００１５】
下ルーパー１が最も手前位置、且つ、揺動の最左点にあり、針３が下死点位置にあるときに、ルーパー天秤４は、ほぼその揺動の最右点にあり、二重環下糸Ｙ１は、ルーパー天秤４の糸案内部４ａの作用によって繰り出され、縫い目の形成に必要な糸量が糸調子器より引き出され、糸経路の屈曲により保持される（図２（１））。この状態から針３が上昇し、下ルーパー１が下ルーパー軸９の軸方向に前進しながら右方向へ回動すると共にルーパー天秤４が左方向に回動すると、二重環下糸Ｙ１は糸案内部４ａにおける屈曲を減少させながら下ルーパー１側に供給される。その供給は、下ルーパー１が揺動の最右点に達するときに最大となる（図２（１））。この状態から下ルーパー１が下ルーパー軸９の軸方向に後退しはじめると、供給された二重環下糸Ｙ１はたるみを生じ、そのままにしておくと目飛びの原因となる。ところが、ルーパー天秤４は、下ルーパー１の後退と共に右方向へ回動し、糸案内部４ａと糸案内部４ｂが二重環下糸Ｙ１の屈曲を大きくする方向へ移動するので、二重環下糸Ｙ１のたるみは糸経路の屈曲角が増すにつれ吸収され、適当な張りを得ることができる。また、このルーパー天秤４の右方向への回動時に、糸案内７を通る二重環下糸Ｙ１は、ルーパー天秤４の糸案内部４ａの作用によって繰り出され、次の縫い目の形成に必要な糸量が糸調子器より引き出される。この一連の運動の繰り返しにより、縫い目形成のための二重環下糸Ｙ１の制御、即ち、二重環下糸Ｙ１の供給とたるみ吸収とが連続して行われる。
【００１６】
かがり縫い時（図３参照；上ルーパー２の動作を省略している）には、下ルーパー糸Ｙ２が糸調子器を経て糸案内６に通され、ルーパー天秤４の各糸案内部４ａ、４ｂを経て下ルーパー１に通され、上ルーパー糸Ｙ３が糸調子器を経て糸案内７に通され、上ルーパー天秤５を経て上ルーパー２に通される。そして、下ルーパー１が軸回りの揺動運動のみを行い、上ルーパー２が上下運動と軸回りの揺動運動とが合成された運動を行い、針３が上下運動を行う。
【００１７】
以下、かがり縫い時の下糸の制御について詳述する。
【００１８】
下ルーパー１が揺動の最左点にあり、針３が下死点位置にあるときに、ルーパー天秤４は、ほぼその揺動の最右点にあり、下ルーパー糸Ｙ２は、ルーパー天秤４による糸経路により、たるみのない状態となっている（図３（１））。この状態から針３が上昇し、下ルーパー１が右方向へ回動すると、下ルーパー糸Ｙ２は縫い目形成のためにたるむが、下ルーパー１の回動と共にルーパー天秤４が左方向へ回動し、その糸案内部４ｂが下ルーパー糸Ｙ２に屈曲を与えるので、不必要なたるみは吸収される（図３（２））。また、このルーパー天秤４の左方向への回動時に、糸案内６を通る下ルーパー糸Ｙ２は、ルーパー天秤４の糸案内部４ａの作用によって繰り出され、次の縫い目の形成に必要な糸量が糸調子器より引き出される。この下ルーパー糸Ｙ２の引出しは、下ルーパー１が揺動の最右点に達し、ルーパー天秤４が揺動の最左点に至ったときに最大となる。この一連の運動の繰り返しにより、縫い目形成のための下ルーパー糸Ｙ２の制御、即ち、下ルーパー糸Ｙ２の供給とたるみ吸収とが連続して行われる。
【００１９】
以上のごとくであるから、二重環縫い時の二重環下糸Ｙ１とかがり縫い時の下ルーパー糸Ｙ２を糸案内７、糸案内６に掛け分けることにより、従来の下糸カムが不要となり、一つのルーパー天秤４でそれぞれの下糸Ｙ１、Ｙ２を制御することが可能となった。
【００２０】
【発明の効果】
この発明は、以上説明したように構成されているので、以下に記載するような効果を奏する。
【００２１】
即ち、二重環縫下糸、下ルーパー糸の各制御を一つの揺動式Ｌ字型天秤で行うことができるようになり、従来の回転運動を行う下糸カムが不要となった。従って、製造コストを低下させることができると共に、糸が天秤へ巻き付くこともなくなった。しかも、下糸天秤が二重環縫いとかがり縫いに共通であるので、作業者の糸掛け操作性もよくなった。
【図面の簡単な説明】
【図１】この発明のロックミシンの正面図である。
【図２】二重環縫い時の縫製過程の異なる時点における要部の動作を説明する正面図である。
【図３】かがり縫い時の縫製過程の異なる時点における要部の動作を説明する正面図である。
【図４】従来のロックミシンの下ルーパー糸制御部の斜視図である。
【図５】二重環縫い目の斜視図である。
【図６】かがり縫い目の斜視図である。
【符号の説明】
１    下ルーパー
２    上ルーパー
３    針
４    下ルーパー天秤
４ａ  糸案内部
４ｂ  糸案内部
６    糸案内
７    糸案内
１１  上ルーパー軸
Ｙ１  二重環下糸
Ｙ２  下ルーパー糸
Ｙ３  上ルーパー糸
【図１】
0003570764.tif 000002
【図２】
0003570764.tif 000003
【図３】
0003570764.tif 000004
【図４】
0003570764.tif 000005
【図５】
0003570764.tif 000006
【図６】
0003570764.tif 000007